(57)【要約】【課題】吸収体が着用者の肌側へ隆起し、排泄部との密着性が向上するとともに、ヨレが発生し難く、吸収体のフィット性が向上する吸収性物品を提供すること。【解決手段】本発明のナプキン１は、表面シート２と、裏面シート３と、これらシート２，３間に配された吸収体４とを備えた縦長のものである。生理用ナプキン１は、排泄部領域Ａにおける表面シート２及び吸収体４の両側部２ｂ，４ｂに、平面視して幅方向（Ｘ方向）外方に凸状に湾曲する一対の内側溝７１が形成されており、一対の内側溝７１それぞれの幅方向（Ｘ方向）外側における表面シート２及び吸収体４に、平面視して幅方向（Ｘ方向）外方に凸状に湾曲する一対の外側溝７２が形成されている。生理用ナプキン１は、外側溝７２の長さが、内側溝７１の長さよりも長く、内側溝７１の凸状の頂部７１ａが、外側溝７２の長さの範囲内に配されている。【選択図】図１
2010136972.tif 000002
【特許請求の範囲】
【請求項１】
肌当接面側に液透過性の表面シートと、非肌当接面側に裏面シートと、これらシート間に配された吸収体とを備えた実質的に縦長の吸収性物品であって、
装着者の体液排泄部に当接される排泄部領域における前記表面シート及び前記吸収体の両側部に、平面視して幅方向外方に凸状に湾曲する一対の内側溝が形成されており、
一対の前記内側溝それぞれの幅方向外側における前記表面シート及び前記吸収体に、平面視して幅方向外方に凸状に湾曲する一対の外側溝が形成されており、
前記外側溝の長さは、前記内側溝の長さよりも長く、該内側溝の凸状の頂部が、前記外側溝の長さの範囲内に配されている吸収性物品。
【請求項２】
前記外側溝の両端部それぞれと、前記吸収性物品の長手方向に延びる中心線と平行な直線で、前記内側溝の前記頂部に接する直線との距離が、３ｍｍ以下である請求項１に記載の吸収性物品。
【請求項３】
前記外側溝の両端部の少なくとも一方は、前記吸収性物品の長手方向に延びる中心線と平行な直線で、前記内側溝の前記頂部に接する直線よりも内方に配されている請求項１又は２に記載の吸収性物品。
【請求項４】
個装するための前記吸収性物品に形成された複数本の折曲線それぞれが、幅方向に延びて形成されており且つ一対の前記外側溝それぞれの両端部よりも長手方向の前後外方に形成されている請求項１〜３の何れかに記載の吸収性物品。
【請求項５】
前記排泄部領域の前方の前方領域及び前記排泄部領域の後方の後方領域に、それぞれ、前方溝及び後方溝が形成されており、
前記前方溝は、一対の前記内側溝それぞれの一端部から長手方向に延びる一対の前方縦溝部、及び一対の該前方縦溝部それぞれの外方端部同士を結ぶ前方連結溝部を有し、
前記後方溝は、一対の前記内側溝それぞれの他端部から長手方向に延びる一対の後方縦溝部、及び一対の該後方縦溝部それぞれの外方端部同士を結ぶ後方連結部を有することで全周溝をなしている請求項１〜４の何れかに記載の吸収性物品。
【請求項６】
前記外側溝の一端部は、前記前方溝と離間した位置に配されており、前記外側溝の他端部は、前記後方溝と離間した位置に配されている請求項５に記載の吸収性物品。
【発明の詳細な説明】
【技術分野】
【０００１】
本発明は、生理用ナプキン、失禁パッド、パンティーライナー（おりものシート）等の吸収性物品に関する。
【背景技術】
【０００２】
従来、吸収性物品の着用時に、吸収体が着用者の肌側へ隆起し、排泄部との密着性が向上する吸収性物品が知られている。この種の吸収性物品は、その肌当接面と着用者の肌との間に隙間が生じることを防ぎ、体液が、吸収性物品の肌当接面又は着用者の肌を伝わって漏れるのを低減することを目的としている。
【０００３】
例えば、特許文献１及び特許文献２には、中央吸収部の左右両側それぞれに、長手方向に延びる内側の圧縮溝と外側の圧縮溝とが間隔を空けて設けられており、外側の圧縮溝に長手方向に延びる中心線に向かう圧縮力が作用したときに、内側の圧縮溝が外側の圧縮溝よりも肌側に向かうように変位することで、中央吸収部が肌側へ隆起する吸収性物品が開示されている。
【０００４】
しかし、特許文献１及び特許文献２に記載の内側の圧縮溝及び外側の圧縮溝は、何れも、長手方向に延びる中心線に向かう圧縮力が作用したときに、可撓軸となる部分であるため、中央吸収部が隆起するのみならず、左右両側の外側の圧縮溝同士に挟まれた領域から隆起してしまう。このように中央吸収部以外の部分が隆起し、下着のクロッチ部分から離れる領域が広がると、吸収性物品にヨレが発生し易く、中央吸収部のフィット性を損ねる可能性がある。
【０００５】
【特許文献１】特開２００４−１５４１５３号公報
【特許文献２】特開２００４−１５４１５４号公報
【発明の開示】
【発明が解決しようとする課題】
【０００６】
したがって、本発明の目的は、吸収体が着用者の肌側へ隆起し、排泄部との密着性が向上するとともに、ヨレが発生し難く、吸収体のフィット性が向上する吸収性物品を提供することにある。
【課題を解決するための手段】
【０００７】
本発明は、肌当接面側に液透過性の表面シートと、非肌当接面側に裏面シートと、これらシート間に配された吸収体とを備えた実質的に縦長の吸収性物品であって、装着者の体液排泄部に当接される排泄部領域における前記表面シート及び前記吸収体の両側部に、平面視して幅方向外方に凸状に湾曲する一対の内側溝が形成されており、一対の前記内側溝それぞれの幅方向外側における前記表面シート及び前記吸収体に、平面視して幅方向外方に凸状に湾曲する一対の外側溝が形成されており、前記外側溝の長さは、前記内側溝の長さよりも長く、該内側溝の凸状の頂部が、前記外側溝の長さの範囲内に配されている吸収性物品を提供するものである。
【発明の効果】
【０００８】
本発明の吸収性物品によれば、排泄部との密着性が向上し、体液の漏れが低減する。また、本発明の吸収性物品によれば、ヨレが発生し難く、吸収体のフィット性が向上する。
【発明を実施するための最良の形態】
【０００９】
以下、本発明の吸収性物品である生理用ナプキンの好ましい本実施形態について、図１〜図３に基づいて説明する。
【００１０】
本実施形態の生理用ナプキン１は、図１に示すように、生理用ナプキン１の長手方向に延びる中心線ＣＬに対して左右対称に形成されている。従って以下の説明では、左右対称な部分については、主に、左側について説明する。本実施形態の生理用ナプキン１は、図１に示すように、肌当接面側に液透過性の表面シート２と、非肌当接面側に裏面シート３と、これらシート２，３間に配された吸収体４とを備えた実質的に縦長のものである。本実施形態の生理用ナプキン１は、図１に示すように、装着者の体液排泄部に当接される排泄部領域Ａにおける表面シート２及び吸収体４の両側部２ｂ，２ｂ，４ｂ，４ｂに、平面視して幅方向（以下「Ｘ方向」という。Ｘ方向：中心線ＣＬに垂直な方向をいう。）外方に凸状に湾曲する一対の内側溝７１，７１が形成されており、一対の内側溝７１，７１それぞれの幅方向（Ｘ方向）外側における表面シート２及び吸収体４に、平面視して幅方向（Ｘ方向）外方に凸状に湾曲する一対の外側溝７２，７２が形成されている。本実施形態の生理用ナプキン１は、図１に示すように、外側溝７２の長さが、内側溝７１の長さよりも長く、内側溝７１の凸状の頂部７１ａが、外側溝７２の長さの範囲内に配されている。
【００１１】
本実施形態の生理用ナプキン１について、詳述すると、本実施形態の生理用ナプキン１（以下、「ナプキン１」ともいう。）は、図１，図２に示すように、肌当接面側に配された液透過性の表面シート２、非肌当接面側に配された液難透過性又は液不透過性等の液防漏性のある裏面シート３、及びこれら両シート２，３間に介在された液保持性の吸収体４を具備する。また、ナプキン１の肌当接面側の長手方向（以下「Ｙ方向」という。Ｙ方向：中心線ＣＬに平行な方向をいう。）の側部１ｂには、その長手方向（Ｙ方向）の略全長に亘ってサイドシート５が配されている。サイドシート５は、中心線ＣＬ寄りの側部が、吸収体４の長手方向（Ｙ方向）の側部４ｂと重なっており、吸収体４の上方に配されている。
本明細書において、「肌当接面側」とは、各部材の両側（面）のうち、着用時に着用者の肌側に向けて配される側（面）を示す。また、「非肌当接面側」とは、各部材の両側（面）のうち、着用時に着用者の肌側とは反対側に向けて配される側（面）を示す。
【００１２】
ナプキン１は、図１に示すように、装着者の体液排泄部に当接される排泄部領域Ａと、排泄部領域Ａの前方に延在する前方領域Ｂと、排泄部領域Ａの後方に延在する後方領域Ｃとを有する。ナプキン１の装着時には、前方領域Ｂが装着者の前（腹）側に、後方領域Ｃが装着者の後（背）側に、それぞれ配される。
【００１３】
表面シート２は、図１に示すように、装着時の前後方向と同方向に長い矩形状の吸収体４の肌当接面側の全域を被覆しており、吸収体４の長手方向（Ｙ方向）の両端部４ａ，４ａそれぞれから外方に延出した部分を有している。表面シート２は、図２に示すように、幅方向（Ｘ方向）の長さが裏面シート３よりも短くなっている。サイドシート５は、図２に示すように、表面シート２の肌当接面側であって、吸収体４の長手方向（Ｙ方向）側部４ｂから幅方向（Ｘ方向）外方に延出しており、表面シート２の側部２ｂの長手方向（Ｙ方向）の全域に亘って配され固定されている。固定は、接着、融着（ヒートエンボス、超音波エンボス、高周波エンボス）等により行われている。裏面シート３は、図２に示すように、吸収体４の非肌当接面側の全域を被覆し、吸収体４の外方全域に亘って延出した部分を有している。
【００１４】
ナプキン１は、図１，図２に示すように、吸収体４の長手方向（Ｙ方向）側部４ｂから外方に延出したサイドシート５と裏面シート３とが固定されて形成されたサイドフラップ部６を備えている。固定は、接着、融着等により行われている。サイドフラップ部６は、図１に示すように、排泄部領域Ａにおいて大きく幅方向（Ｘ方向）外方に延出し、ウイング部６１を形成している。
【００１５】
ナプキン１の裏面シート３の幅方向（Ｘ方向）中央部及びウイング部６１の非肌当接面側には、それぞれ粘着剤が塗布されて、ナプキン１をショーツ等に固定するための固定部（図示せず）が形成されている。
【００１６】
ナプキン１は、表面シート２及び吸収体４を圧密化して形成された圧搾条溝７を備えている。ナプキン１の圧搾条溝７は、図１，図２に示すように、装着者の体液排泄部に当接される排泄部領域Ａにおける表面シート２及び吸収体４の長手方向（Ｙ方向）側部２ｂ，４ｂに形成された内側溝７１と、内側溝７１の幅方向（Ｘ方向）外側に形成された外側溝７２とを有している。さらに、ナプキン１の圧搾条溝７は、図１に示すように、前方領域Ｂに形成された前方溝７３と後方領域Ｃに形成された後方溝７４とを有している。
【００１７】
圧搾条溝７の内側溝７１は、図１に示すように、排泄部領域Ａにおける表面シート２及び吸収体４の側部２ｂ，４ｂそれぞれに、平面視して幅方向（Ｘ方向）外方に凸状に湾曲する形状に形成されている。ナプキン１においては、図１に示すように、前方溝７３、内側溝７１及び後方溝７４が繋がって環状の全周溝となる圧搾条溝７を形成している。このように全周に亘って形成された全周溝の圧搾条溝７における内側溝７１とは、排泄部領域Ａに形成された部分であって、前方領域Ｂ寄りの部分の中の中心線ＣＬに最も近い部位７１ｂと、後方領域Ｃ寄りの部分の中の中心線ＣＬに最も近い部位７１ｃとの間の区間のことを意味する。
【００１８】
圧搾条溝７の外側溝７２は、図１に示すように、内側溝７１の幅方向（Ｘ方向）外側における表面シート２及び吸収体４に、平面視して幅方向（Ｘ方向）外方に凸状に湾曲する形状に形成されている。図１に示すように、外側溝７２の長手方向（Ｙ方向）の長さは、内側溝７１の長手方向（Ｙ方向）の長さよりも長く、内側溝７１の凸状の頂部７１ａは、外側溝７２の長さの範囲内に配されている。ナプキン１においては、図１に示すように、凸状の内側溝７１の曲線半径は、凸状の外側溝７２の曲線半径よりも小さく、内側溝７１と外側溝７２との間隔の中で、内側溝７１の頂部７１ａと外側溝７２の頂部７２ａとの間隔が、最も狭く形成されている。
【００１９】
ナプキン１の長手方向（Ｙ方向）の長さは、１５０ｍｍ〜４２０ｍｍであることが好ましい。内側溝７１の長手方向（Ｙ方向）の長さは、８５ｍｍ〜３２０ｍｍであることが好ましく、１２０ｍｍ〜１６０ｍｍであることが更に好ましい。外側溝７２の長手方向（Ｙ方向）の長さは、５０ｍｍ〜２５０ｍｍであることが好ましく、８０ｍｍ〜１５０ｍｍであることが更に好ましい。内側溝７１の幅方向（Ｘ方向）の長さ（内側溝７１の部位７１ｂ及び内側溝７１の部位７１ｃの中心線ＣＬに近い一方の部位と、内側溝７１の頂部７１ａとの間の間隔）は、１５ｍｍ〜８０ｍｍであることが好ましく、２０ｍｍ〜６０ｍｍであることが更に好ましい。外側溝７２の幅方向（Ｘ方向）の長さ（外側溝７２の両端部７２ｂ，７２ｃの中心線ＣＬに近い方の端部と、外側溝７２の頂部７２ａとの間の間隔）は、２０ｍｍ〜１００ｍｍであることが好ましく、２５ｍｍ〜６５ｍｍであることが更に好ましい。
【００２０】
圧搾条溝７の外側溝７２は、図１に示すように、内側溝７１の幅方向（Ｘ方向）外側に配されており、ナプキン１においては、図１に示すように、外側溝７２の両端部７２ｂ，７２ｃそれぞれと、ナプキン１の長手方向（Ｙ方向）に延びる中心線ＣＬと平行な直線であって、内側溝７１の頂部７１ａに接する直線ＳＬとの距離が、３ｍｍ以下となる位置に配されている。外側溝７２の一端部７２ｂは、外側溝７２の長手方向（Ｙ方向）の両端部の中の前方領域Ｂ側の端部であり、外側溝７２の他端部７２ｃは、外側溝７２の長手方向（Ｙ方向）の両端部の中の後方領域Ｃ側の端部である。尚、ナプキン１においては、図１に示すように、外側溝７２の両端部７２ｂ，７２ｃが、何れも、直線ＳＬよりも内方にまで延びている。外側溝７２の一端部７２ｂは、前方溝７３と離間した位置に配されており、外側溝７２の他端部７２ｃは、後方溝７４と離間した位置に配されている。
【００２１】
圧搾条溝７の前方溝７３は、図１に示すように、前方領域Ｂに形成されており、内側溝７１の一端部（排泄部領域Ａの前方領域Ｂ寄りの部分の中の中心線ＣＬに最も近い部位７１ｂと同じ部位）から長手方向（Ｙ方向）に延びる前方縦溝部７３１、並びに表面シート２及び吸収体４の両側部２ｂ，２ｂ，４ｂ，４ｂにおける一対の前方縦溝部７３１，７３１それぞれの外方端部７３１ｂ，７３１ｂ同士を結ぶ前方連結溝部７３２を有している。ナプキン１においては、図１に示すように、前方縦溝部７３１は、前方領域Ｂにおける表面シート２及び吸収体４に、平面視して幅方向（Ｘ方向）外方に凸状に湾曲する形状に形成されている。また、ナプキン１においては、図１に示すように、前方連結溝部７３２は、前方領域Ｂにおける表面シート２及び吸収体４に、平面視して長手方向（Ｙ方向）外方に凸状に湾曲する形状に形成されている。
【００２２】
圧搾条溝７の後方溝７４は、図１に示すように、後方領域Ｃに形成されており、内側溝７１の他端部（排泄部領域Ａの後方領域Ｃ寄りの部分の中の中心線ＣＬに最も近い部位７１ｃと同じ部位）から長手方向（Ｙ方向）に延びる後方縦溝部７４１、並びに表面シート２及び吸収体４の両側部２ｂ，２ｂ，４ｂ，４ｂにおける一対の後方縦溝部７４１，７４１それぞれの外方端部７４１ｃ，７４１ｃ同士を結ぶ後方連結溝部７４２を有している。ナプキン１においては、図１に示すように、後方縦溝部７４１は、後方領域Ｃにおける表面シート２及び吸収体４に、平面視して幅方向（Ｘ方向）外方に凸状に湾曲する形状に形成されている。また、ナプキン１においては、図１に示すように、後方連結溝部７４２は、後方領域Ｃにおける表面シート２及び吸収体４に、平面視して長手方向（Ｙ方向）外方に凸状に湾曲する形状に形成されている。
【００２３】
前方縦溝部７３１の長手方向（Ｙ方向）の長さは、２０ｍｍ〜２００ｍｍであることが好ましく、３０ｍｍ〜４５ｍｍであることが更に好ましい。後方縦溝部７４１の長手方向（Ｙ方向）の長さも同様である。ナプキン１においては、図１に示すように、凸状の内側溝７１の曲線半径、前方溝７３の凸状の前方縦溝部７３２の曲線半径、及び後方溝７４の後方縦溝部７４１の曲線半径は略同じに形成されているが、各溝部の曲線半径が異なっていてもよい。前方縦溝部７３１の幅方向（Ｘ方向）の長さ（前方縦溝部７３１の頂部と内側溝７１の部位７１ｂとの間の間隔）は、１０ｍｍ〜６０ｍｍであることが好ましく、１５ｍｍ〜４０ｍｍであることが更に好ましい。後方縦溝部７４１の幅方向（Ｘ方向）の長さ（後方縦溝部７４１の頂部と内側溝７１の部位７１ｃとの間の間隔）は、１５ｍｍ〜４０ｍｍであることが好ましく、１０ｍｍ〜１５０ｍｍであることが更に好ましい。
【００２４】
ナプキン１においては、図１に示すように、凸状の前方連結溝部７３２の長手方向（Ｙ方向）の長さ（前方連結部７３２の頂部と前方縦溝部７３１の外方端部７３１ｂとの間の間隔）は、１０ｍｍ〜６０ｍｍであることが好ましく、１５ｍｍ〜３０ｍｍであることが更に好ましい。凸状の後方連結溝部７４２の長手方向（Ｙ方向）の長さ（後方連結部７４２の頂部と後方縦溝部７４１の外方端部７４１ｃとの間の間隔）は、１０ｍｍ〜１００ｍｍであることが好ましく、１５ｍｍ〜３０ｍｍであることが更に好ましい。
【００２５】
圧搾条溝７は、深く形成された部分とそれよりも若干浅く形成された部分とが交互に配置されて連続線を形成している。圧搾条溝７である内側溝７１、外側溝７２、前方溝７３、及び後方溝７４の溝幅は、０．５ｍｍ〜５ｍｍであることが好ましい。
【００２６】
ナプキン１においては、図１に示すように、個装するために形成された２本の折曲線８ｂ，８ｃそれぞれが、幅方向（Ｘ方向）に延びて形成されており且つ外側溝７２の両端部７２ｂ，７２ｃよりも長手方向（Ｙ方向）外方に形成されている。折曲線８ｂは、図１に示すように、排泄部領域Ａの前方の前方領域Ｂに形成されており、折曲線８ｃは、排泄部領域Ａの後方の後方領域Ｃに形成されている。折曲線８ｂ及び折曲線８ｃは何れも、ナプキン１の長手方向（Ｙ方向）の両側部に亘って延在している。ナプキン１においては、折曲線は２本であるが、製品長の長い、特に夜用のナプキンにおいては、例えば３本の折曲線が、排泄部領域Ａ以外の領域に形成される。
【００２７】
本実施形態のナプキン１の形成材料について説明する。
表面シート２、裏面シート３、サイドシート５としては、通常、生理用ナプキン等の吸収性物品に用いられるものであれば、特に制限なく用いることができる。例えば、表面シート２としては、親水性且つ液透過性の不織布や、開孔フィルム、これらの積層体等を用いることができ、裏面シート３としては、液不透過性又は撥水性の樹脂フィルムや樹脂フィルムと不織布の積層体等を用いることができる。サイドシート５としては、裏面シート３と同様のものを用いることができる。
【００２８】
吸収体４としては、通常、生理用ナプキン等の吸収性物品に用いられるものであれば、特に制限なく用いることができる。例えば、パルプ等の繊維材料の繊維集合体又はこれに高吸収性ポリマーを担持させたものを、ティッシュペーパーや透水性の不織布等の被覆材で包んでなるもの、パルプ繊維等からなる繊維集合体と吸水性ポリマーとからなる吸収シート等を用いることができる。
【００２９】
内側溝７１、外側溝７２、前方溝７３、及び後方溝７４等の圧搾条溝７を形成する加工法は、エンボス加工、ヒートエンボス加工、超音波エンボス加工、それらの組み合わせの加工法等が挙げられる。
【００３０】
上述した本発明の本実施形態のナプキン１を使用した際の作用効果について説明する。
本実施形態のナプキン１は、図１に示すように、排泄部領域Ａに、幅方向（Ｘ方向）外方に凸の一対の内側溝７１，７１と、その幅方向（Ｘ方向）外側に、幅方向（Ｘ方向）外方に凸の一対の外側溝７２，７２を有しており、外側溝７２の長さが、内側溝７１の長さよりも長く、内側溝７１凸状の頂部７１ａが、外側溝７２の長さの範囲内に配されている。そのため、内側溝７１と外側溝７２とで挟まれた領域Ｔの表面シート２及び吸収体４は、図３に示すように、条溝７の形成時の圧密化により一体化されており、一方、一対の内側溝７１，７１の間の領域ＣＴの表面シート２及び吸収体４は、圧密化されておらず、柔軟性を保っている。従って、本実施形態のナプキン１は、装着時に、図３に示すように、幅方向（Ｘ方向）中央に向かう圧縮力Ｆが作用したときに、内側溝７１、外側溝７２、及び領域Ｔの部分が、可撓軸となり難く、領域ＣＴの表面シート２及び吸収体４のみが装着者の体液排泄部側に隆起するため、排泄部との密着性が向上し、体液の漏れが低減する。また、本実施形態のナプキン１は、領域ＣＴの表面シート２及び吸収体４のみが隆起し、内側溝７１、外側溝７２、及び領域Ｔの部分が、下着のクロッチ部分から離れ難いため、ヨレが発生し難く、吸収体のフィット性が向上する。ここで、領域ＣＴは内側溝７１に沿って形成されているのではなく、本実施形態では内側溝７１の部位７１ｂと７１ｃによって結ばれる略矩形状の領域であり、内側溝７１の内方部分であっても領域ＣＴの両側部に領域Ｔが形成される。
【００３１】
また、本実施形態のナプキン１は、図１に示すように、外側溝７２の両端部７２ｂ，７２ｃが、何れも、内側溝７１の頂部７１ａに接する直線ＳＬよりも内方にまで延びている。そのため、内側溝７１と外側溝７２とで挟まれた領域Ｔの表面シート２及び吸収体４は、条溝７の形成時の圧密化により、更に一体化され易い。そのため、内側溝７１、外側溝７２、及び領域Ｔの部分は、下着のクロッチ部分から更に離れ難いため、ヨレが発生し難く、吸収体のフィット性が向上する。
【００３２】
また、本実施形態のナプキン１は、図１に示すように、凸状の内側溝７１の曲線半径は、凸状の外側溝７２の曲線半径よりも小さく、内側溝７１と外側溝７２との間隔の中で、内側溝７１の頂部７１ａと外側溝７２の頂部７２ａとの間隔が、最も狭く形成されている。そのため、内側溝７１の頂部７１ａと外側溝７２の頂部７２ａとで挟まれた領域Ｔの表面シート２及び吸収体４は、条溝７の形成時の圧密化により、更に一体化され易い。そのため、内側溝７１、外側溝７２、及び領域Ｔの部分は、可撓軸に更になり難く、領域ＣＴの表面シート２及び吸収体４のみが装着者の体液排泄部側に隆起するため、排泄部との密着性が更に向上し、体液の漏れが低減する。
【００３３】
また、本実施形態のナプキン１は、図１に示すように、前方溝７３、内側溝７１及び後方溝７４が繋がって環状の全周溝を形成している。そのため、本実施形態のナプキン１は、環状の溝で囲まれた領域の表面シート２及び吸収体４の変形を防止することができ、ヨレが発生し難く、吸収体のフィット性が向上する。
【００３４】
また、本実施形態のナプキン１は、図１に示すように、前方溝７３の前方縦溝部７３１及び前方連結溝部７３２が、外方に凸形状に形成されており、後方溝７４の後方縦溝部７４１及び後方連結溝部７４２が、外方に凸形状に形成されている。そのため、本実施形態のナプキン１は、前方溝７３、内側溝７１及び後方溝７４により形成された環状の全周溝で囲まれた領域の表面シート２及び吸収体４の変形を更に防止することができ、ヨレが発生し難く、吸収体のフィット性が向上する。
【００３５】
また、本実施形態のナプキン１は、図１に示すように、外側溝７２の一端部７２ｂは、前方溝７３と離間した位置に配されており、外側溝７２の他端部７２ｃは、後方溝７４と離間した位置に配されている。そのため、本実施形態のナプキン１は、装着時に、図３に示すように、幅方向（Ｘ方向）中央に向かう圧縮力Ｆを受けたとしても、外側溝７２と前方溝７３との離間した部分、及び外側溝７２と後方溝７４との離間した部分がクッションの役割を果たし、前方溝７３、内側溝７１及び後方溝７４により形成された環状の溝で囲まれた領域の表面シート２及び吸収体４の変形を更に防止することができ、ヨレが発生し難く、吸収体のフィット性が向上する。
【００３６】
また、本実施形態のナプキン１は、図１に示すように、個装するために形成された折曲線８ｂ，８ｃそれぞれが、幅方向（Ｘ方向）に延びて形成されており且つ外側溝７２の両端部７２ｂ，７２ｃよりも長手方向（Ｙ方向）外方に形成されている。そのため、本実施形態のナプキン１は、折曲線８ｂ，８ｃによって、排泄部領域Ａに皺を形成せず、吸収体のフィット性が向上する。
【００３７】
本発明の吸収性物品は、上述の本実施形態のナプキン１に何ら制限されるものではなく、適宜変更可能である。
【００３８】
例えば、上述の本実施形態のナプキン１においては、図１に示すように、前方溝７３及び後方溝７４を有しているが、有していなくてもよい。また、上述の本実施形態のナプキン１においては、図１に示すように、内側溝７１に繋がって、前方溝７３及び後方溝７４が配されているが、繋がってなくてもよい。
【００３９】
また、上述の本実施形態のナプキン１においては、図１に示すように、外側溝７２の両端部７２ｂ，７２ｃそれぞれが、内側溝７１の部位７１ｂ，部位７１ｃの長手方向（Ｙ方向）の外方に配されているが、図４（ａ）に示すように、内側溝７１の部位７１ｂの方だけが、外側溝７２の端部７２ｂよりも長手方向（Ｙ方向）の外方に配されていてもよい。要するに、外側溝７２の長さが、内側溝７１の長さよりも長く、内側溝７１凸状の頂部７１ａが、外側溝７２の長さの範囲内に配されていればよい。
【００４０】
また、上述の本実施形態のナプキン１においては、図１に示すように、外側溝７２の両端部７２ｂ，７２ｃが、何れも、内側溝７１の頂部７１ａに接する直線ＳＬよりも内方にまで延びているが、何れか一方が内方にまで延びていればよい。また、図４（ｂ）に示すように、外側溝７２の両端部７２ｂ，７２ｃが、何れも、直線ＳＬよりも内方にまで延びていなくてもよい。その場合、外側溝７２の両端部７２ｂ，７２ｃの何れか一方が、直線ＳＬとの間隔を３ｍｍ以下となるように配されていればよい。
【００４１】
また、上述の本実施形態のナプキン１においては、図１に示すように、凸状の内側溝７１の曲線半径は、凸状の外側溝７２の曲線半径よりも小さく、内側溝７１と外側溝７２との間隔の中で、内側溝７１の頂部７１ａと外側溝７２の頂部７２ａとの間隔が、最も狭く形成されているが、図４（ｃ）に示すように、凸状の内側溝７１の曲線半径と、凸状の外側溝７２の曲線半径とが略同じであり、内側溝７１と外側溝７２との間隔が、何れの部位においても略同じに形成されていてもよい。
【００４２】
また、上述の本実施形態のナプキン１においては、図１に示すように、外側溝７２の一端部７２ｂは、前方溝７３と離間した位置に配されており、外側溝７２の他端部７２ｃは、後方溝７４と離間した位置に配されているが、両端部７２ｂ，７２ｃの少なくとも一方の端部が、前方溝７３又は後方溝７４と接していてもよい。
【００４３】
また、上述の本実施形態のナプキン１においては、図１に示すように、前方溝７３の前方縦溝部７３１が、幅方向（Ｘ方向）外方に凸状に湾曲する形状に形成されており、前方溝７３の前方連結溝部７３２が、長手方向（Ｙ方向）外方に凸状に湾曲する形状に形成されているが、凸状に湾曲する形状に形成されていなくてもよい。後方溝７４の後方縦溝部７４１及び後方連結溝部７４２についても同様である。
【００４４】
また、上述の本実施形態のナプキン１においては、図１に示すように、長手方向（Ｙ方向）の側部に、一対のサイドシート５，５が、それぞれ配されているが、配されてなくてもよい。また、一対のサイドシート５，５の代わりに一対の立体ギャザーが設けられていてもよい。
【００４５】
また、上述の本実施形態のナプキン１においては、図１に示すように、折曲線８ｂ，８ｃが、配されているが、配されていなくてもよい。
【００４６】
本発明の吸収性物品は、生理用ナプキン以外にも、例えば、失禁パッド、パンティーライナー等に好適に用いることができる。
【図面の簡単な説明】
【００４７】
【図１】図１は、本発明の本実施形態である生理用ナプキンを示す平面図である。
【図２】図２は、図１のＸ１−Ｘ１線断面図である。
【図３】図３は、本実施形態の生理用ナプキンの使用時のＸ１−Ｘ１線断面図である。
【図４】図４（ａ）〜図４（ｃ）は、本発明の他の実施形態の生理用ナプキンにおける内側溝と外側溝との関係を示す要部の平面図である。
【符号の説明】
【００４８】
１  生理用ナプキン
１ｂ  長手方向（Ｙ方向）の側部
２  表面シート
２ｂ  長手方向（Ｙ方向）の側部
３  裏面シート
４  吸収体
４ａ  長手方向（Ｙ方向）の端部
４ｂ  長手方向（Ｙ方向）の側部
５  サイドシート
６  サイドフラップ部
６１  ウイング部
７  圧搾条溝
７１  内側溝
７１ａ  頂部
７１ｂ，７１ｃ  長手方向の端部
７２  外側溝
７２ａ  頂部
７２ｂ，７２ｃ  長手方向の端部
７３  前方溝
７３１  前方縦溝部
７３１ｂ  外方端部
７３２  前方連結部
７４  後方溝
７４１  後方縦溝部
７４１ｂ  外方端部
７４２  後方連結部
８ｂ，８ｃ  折曲線
【図１】
2010136972.tif 000003
【図２】
2010136972.tif 000004
【図３】
2010136972.tif 000005
【図４】
2010136972.tif 000006